(57)【要約】【課題】  複数の弦を有する弦楽器の調律の状態を表示する調律器の提供。【解決手段】  複数弦の音名を音の高さの順に配置した弦音表示セグメント８と、セント偏差を示すセント偏差表示用バーセグメント９を表示部に設ける。【選択図】  図１
2006184449.tif 000002
【特許請求の範囲】
【請求項１】
楽器の調律に用いる調律器において、
楽器の音を入力する入力部と、
前記入力部から入力された信号のピッチを抽出するピッチ抽出部と、
前記ピッチ抽出部で抽出されたピッチが設定された偏差範囲内にある場合対応する音名を判別する音名判別部とセント偏差を計算するセント偏差計算部と、
音程の高低順に配置され前記音名判別部で判別された音名に対応する位置を表示する音名表示体と、前記セント偏差値を表示する偏差表示体とからなる表示部を有する調律器。
【請求項２】
前記音名表示体が複数のセグメントからなり、前記複数のセグメントのうち前記音名に対応するセグメントを表示する請求項１記載の調律器。
【請求項３】
前記複数のセグメントが半音の差で配列された請求項２記載の調律器。
【請求項４】
前記セント偏差が設定された偏差値を超えた場合、前記偏差表示体が上限または下限の表示をする請求項１記載の調律器。
【請求項５】
複数の弦からなる弦楽器の調律に用いる調律器において、
前記複数の弦の音からピッチを抽出するピッチ抽出部と、
前記ピッチ抽出手段で抽出されたピッチが設定された偏差範囲内にある場合対応する音名を判別する音名判別部とセント偏差を計算するセント偏差計算部と、
前記複数の弦のそれぞれの音名または弦番号または弦名と、前記音名または弦番号または弦名のうち前記音名判別部で判別された音名または弦番号または弦名を表示する音名表示体と、前記セント偏差値を表示する偏差表示体からなる表示部を有する調律器。
【請求項６】
前記音名または弦番号または弦名が、前記複数の弦のそれぞれの開放弦の音名または弦番号または弦名である請求項５記載の調律器。
【請求項７】
前記音名表示体が音程の高低順に配置された複数のセグメントからなる請求項５記載の調律器。
【請求項８】
前記複数のセグメントが半音の差で配列された請求項７記載の調律器。
【請求項９】
前記偏差表示体が、前記音名表示体の音程の高低順と同じ方向に偏差の高低を示す請求項７記載の調律器。
【請求項１０】
前記セント偏差が設定された偏差値を超えた場合、前記偏差表示体が上限または下限の表示をする請求項５乃至９いずれか１項記載の調律器。
【請求項１１】
開放弦以外のオクターブが入力された場合、前記音名表示体が前記複数の弦のうち調律を目的とする弦と異なる弦に対応することを示す請求項５記載の調律器。
【発明の詳細な説明】
【技術分野】
【０００１】
本発明は、楽器の調律を行なうための調律器に関し、特に調律器の表示方法に関する。
【背景技術】
【０００２】
従来のギター用調律器は、調律している弦の音名を弦番号または弦名で表示する一桁の表示部と、基準音からの偏差を表示する偏差表示部を有していた（例えば、特許文献１参照。）。
【特許文献１】特開平６−３０８９４６号公報（００１９段落、図２）
【発明の開示】
【発明が解決しようとする課題】
【０００３】
従来のギター用調律器では、現在調律している音がどの弦に近い音なのかはわかるが、ギターの６弦全体のどの音の高さにあるのか解らなかった。また、従来のギター用調律器ではオクターブが異なっていても音名が合っていれば、弦番号や弦名を表示し、セント偏差も表示してしまうため、新しく弦を張り替えた場合、何音も低い音から入力していく事となる。この場合、弦を巻いていくと調律器の弦名表示は音の低い弦番号や弦名から順番に切り替わらずに、調律している弦よりも音程が高い弦番号や弦名を表示しながら目的の弦に表示が近づいていくので、初心者には非常にわかりにくい表示であった。
【０００４】
本発明は、このような従来の表示方法が有していた問題を解決しようとするものであり、調律している音が、６弦中のどの音の高さにあるのかを分かりやすく表示することを目的とするものである。
【課題を解決するための手段】
【０００５】
本発明は上記目的を達成するために、ギターの全ての弦番号や弦名を一覧表示し、各弦の音程の高低がわかるように配置し、入力している音と合わせたい弦の音程の関係が一目で理解できるようにする。そして、開放弦以外のオクターブが入力された場合では、目的の弦と異なることがわかるように表示するものである。
【０００６】
本発明は、楽器の調律に用いる調律器において、楽器の音を入力する入力部と、入力部から入力された信号のピッチを抽出するピッチ抽出部と、ピッチ抽出手段で抽出されたピッチから音名を判別する音名判別部とセント偏差を計算するセント偏差計算部と、音程の高低順に配置され前記音名判別部で判別された音名に対応する位置を表示する音名表示体と、前記セント偏差値を表示する偏差表示体とからなる表示部を有する調律器とする。
【０００７】
本名発明は、さらに音名表示体が複数のセグメントからなり、複数のセグメントのうち音名に対応するセグメントを表示する調律器とする。
【０００８】
本発明は、複数の弦からなる弦楽器の調律に用いる調律器において、複数の弦の音からピッチを抽出するピッチ抽出部と、ピッチ抽出手段で抽出されたピッチから音名を判別する音名判別部とセント偏差を計算するセント偏差計算部と、複数の弦のそれぞれの音名または弦番号または弦名と、前記音名または弦番号または弦名のうち前記音名判別部で判別された音名または弦番号または弦名を表示する音名表示体と、前記セント偏差値を表示する偏差表示体からなる表示部を有する調律器とする。
【０００９】
本発明はさらに、音名または弦番号または弦名が、前記複数の弦のそれぞれの開放弦の音名または弦番号または弦名である調律器とする。
【発明の効果】
【００１０】
本発明の表示方法では、ギターの全ての弦について音程の高低がわかるように一覧表示されているため、新しく弦を張り替えるような、低い音程からの調律でも、目的の弦に迷うことなく合わせることが出来る。
【発明を実施するための最良の形態】
【００１１】
以下、本発明の実施の形態を図１〜図５に基づいて説明する。
図１は本発明の調律器のブロック図である。入力音１が入力部２に入力され、入力部２の出力がピッチ抽出部３に入力され入力音１のピッチが抽出される、抽出されたピッチは音名判別部４とセント偏差計算部５に入力され、入力音１の音名が判別される、セント偏差計算部５はピッチ抽出部３で抽出されたピッチと音名判別部４で判別された音名からセント偏差を計算する、表示部６は音名判別部４で判別された音名とセント偏差計算部５で求まったセント偏差を表示体７で表示する信号に変換し、表示体７は表示部６から入力された信号を表示する。
【００１２】
図２は、本発明の表示方法を液晶で表示した場合のセグメント配置である。
ギターの弦名表示セグメント８とセント偏差表示用のバー表示セグメント９がある。前記弦名表示セグメント８は、各弦の音の高さがわかりやすく配置され、各弦の間には半音単位に割り振られたセグメントが配置してある。セント偏差表示用バー表示セグメント９は、各弦の基準ピッチから一定の範囲、ここでは±５０セントの範囲に入ってきた時にセント偏差を表示するためのバー表示である。
弦名６Ｅ、５Ａ、４Ｄ、３Ｇ、２Ｂ、１Ｅは常時点灯していて、その下のブロックセグメントが入力された音に対応して点灯する。
【００１３】
図３は、４Ｄ調律時に４Ｄの±５０セント以内に入った時の表示例を示した図である。４Ｄの弦名を示すブロックセグメント１０が点灯し、セント偏差表示バーセグメント９が入力音のセント偏差を表示する。
【００１４】
図４は、４Ｄ調律時に４Ｄより全音低い音が入った時の表示例を示した図である。
４Ｄの弦名を示すブロックセグメント１０が点灯し、４Ｄより１音低い音を示すブロックセグメント１１が点滅する。セント偏差表示バーセグメント９は４Ｄに対して−５０以下なので一番低いセント偏差を示すセグメントが点灯する。ブロックセグメント１１の点滅と４Ｄを示すブロックセグメント１０の点灯で、４Ｄにあわせたい場合は後どれくらい音を高くすればいいかが一見して理解できる。
【００１５】
図５は、４Ｄ調律時に４Ｄより全音高い音が入った時の表示例を示した図である。
４Ｄの弦名を示すブロックセグメント１０が点灯し、４Ｄより１音高い音を示すブロックセグメント１２が点滅する。セント偏差表示バーセグメント９は４Ｄに対して＋５０以上なので一番高いセント偏差を示すセグメントが点灯する。ブロックセグメント１２の点滅と４Ｄを示すブロックセグメント１０の点灯で、４Ｄにあわせたい場合は後どれくらい音を低くすればいいかが一見して理解できる。
弦を張り替える場合を考えると、弦名表示セグメント８の一番低音を示すブロックセグメントから表示され、弦を巻いていくに従い弦名表示ブロックが高い弦名に順番に切り替わっていく。張り替えている弦までどのくらい巻けばいいのか、わかり易いので、初心者には特に調律が簡単に行えるようになる。
【図面の簡単な説明】
【００１６】
【図１】本発明の1実施例の調律器を示すブロック図
【図２】本発明の１実施例の液晶表示のセグメントを示す図
【図３】本発明の1実施例の４Ｄ調律時、４Ｄ−３０セントのを示す図
【図４】本発明の1実施例の４Ｄ調律時、４Ｄより低い音が入力された場合の表示を示す図
【図５】本発明の1実施例の４Ｄ調律時、４Ｄより高い音が入力された場合の表示を示す図。
【符号の説明】
【００１７】
１  入力音
２  入力部
３  ピッチ抽出部
４  音名判別部
５  セント偏差計算部
６  表示部
７  表示体
８  弦名表示セグメント
９  セント偏差表示用バー表示セグメント
１０  ４Ｄの調律範囲に入った場合の点灯セグメント
１１  ４Ｄの調律時、全音低い音が入力された時の音高を表示するセグメント
１２  ４Ｄの調律時、全音高い音が入力された時の音高を表示するセグメント
【図１】
2006184449.tif 000003
【図２】
2006184449.tif 000004
【図３】
2006184449.tif 000005
【図４】
2006184449.tif 000006
【図５】
2006184449.tif 000007